(57)【要約】  液体吸引装置は、吸引管の端部の頭部がキャップの開口部に対して移動可能なように、キャップの開口部と摺動可能に係合する吸引管を包含する。管カバーは、キャップの開口部と管の頭部との間に配置される。管カバーは、頭部がキャップ内に移動する時に、キャップの中に折り畳まれるようにされている。頭部と管カバーとがキャップの中に移動するから、それらは、吸引装置が一つの容器から次の容器へ移動する時に起こるかもしれない、潜在的な汚染から遮蔽される。固定具はキャップ内に配置される。固定具は、頭部がキャップ内に保持される係合位置と、頭部が自由にキャップに入る又はキャップから出ることが出来る非係合位置との間で移動することが出来る。
2008530420.tif 000002
【特許請求の範囲】
【請求項１】
容器から液体を吸引するための吸引装置であって、
ａ）開口部を含むキャップと、
ｂ）細長い管部及び端部を包含する管であって、細長い管部がキャップの開口部を通過し、キャップの開口部に対して移動可能である管と、
ｃ）キャップと管の端部との間に配置される管カバーであって、管の端部がキャップの中に移動される時に、キャップの中に折り畳まれるようにされている管カバーと、
を具備する吸引装置。
【請求項２】
前記キャップが、前記容器に前記キャップを固定することが出来るネジ付きスカートを含む、請求項１に記載の吸引装置。
【請求項３】
前記キャップはさらに、前記管の端部が前記キャップの中に移動される時に、前記管カバーを受容するようになっている筐体部を含む、請求項１に記載の吸引装置。
【請求項４】
前記管の端部が頭部を含む、請求項１に記載の吸引装置。
【請求項５】
前記キャップが前記管の頭部を受容するようになっている、請求項４に記載の吸引装置。
【請求項６】
さらに、前記頭部と前記キャップとの間に配置され、前記頭部を前記キャップから離して付勢することが出来るバネを包含する、請求項４に記載の吸引装置。
【請求項７】
さらに、係合位置と非係合位置との間で操作可能な固定具を包含し、前記固定具が前記係合位置にある時に、前記固定具は前記キャップ内に前記管の端部を保持することがさらに出来る、請求項１に記載の吸引装置。
【請求項８】
前記管の端部が頭部を含み、前記固定具が前記係合位置にある時に、前記固定具は、前記キャップ内に前記頭部を保持することが出来る、請求項７に記載の吸引装置。
【請求項９】
前記固定具が、固定舌部を含む移動可能な固定リングを包含し、前記頭部が前記キャップの中に保持され前記固定具が前記係合位置にある時に、前記固定舌部が前記頭部に隣接する、請求項８に記載の吸引装置。
【請求項１０】
容器から液体を吸引するための吸引装置であって、
ａ）端部と細長い部分とを包含する管と、
ｂ）開口部を含むキャップであって、前記管が前記キャップの中の前記開口部を通過し、前記キャップに対して移動可能であり、前記容器に固定させることが出来るキャップと、
ｃ）前記キャップによって保持される固定具であって、前記固定具が係合位置と非係合位置との間で移動することができ、前記固定具が前記係合位置にある時に、前記キャップ内で前記管の端部を保持する固定具と、
を具備する吸引装置。
【請求項１１】
前記キャップが前記容器に固定されない時に、前記固定具が前記非係合位置に移動することを防止される、請求項１０に記載の吸引装置。
【請求項１２】
前記固定具は、前記キャップが前記容器に固定される時に、係合位置と非係合位置との間で自由に移動することが出来る、請求項１０に記載の吸引装置。
【請求項１３】
前記管の端部が頭部を含む、請求項１０に記載の吸引装置。
【請求項１４】
前記固定具は、固定舌部を含む移動可能な固定リングを包含し、前記固定舌部は、前記頭部が前記キャップ内に保持され、前記固定具が係合位置にある場合に、前記頭部に隣接する、請求項１３に記載の吸引装置。
【請求項１５】
さらに、前記固定具が前記係合位置に向かって付勢されるように、前記移動可能な固定リングを付勢することが出来るバネを包含する、請求項１４に記載の吸引装置。
【請求項１６】
前記固定具がさらに、延伸した位置と引込んだ位置との間で移動することが出来る固定ピンを包含し、前記固定ピンは、（ｉ）前記固定ピンが延伸した位置にある時に、前記固定具が前記非係合位置へ移動することを防止することが出来る、及び（ｉｉ）前記固定ピンが前記引込んだ位置にある時に、前記固定具が前記係合位置と前記非係合位置との間で移動することを可能にすることが出来る、請求項１１に記載の吸引装置。
【請求項１７】
さらに、前記固定ピンを前記延伸した位置に向かって付勢することが出来るバネを包含する、請求項１６に記載の吸引装置。
【請求項１８】
前記管カバーが第一容器から取外され、第二容器に再配置される場合に、汚染から管カバーを保護する方法であって、
前記管カバーが、前記管カバーを貫通する管を有するものにおいて、
ａ）前記第一容器に配置されるキャップに前記管カバーを挿入する段階と、
ｂ）前記第一容器から前記キャップを取外す段階と、
ｃ）前記第二容器に前記キャップを配置する段階と、
ｄ）前記キャップから前記管カバーを取り外し、少なくとも部分的に前記第二容器に前記管カバーを挿入する段階と、
を含む方法。
【請求項１９】
さらに、前記管カバーが前記キャップに挿入された後で、前記キャップ内に前記管カバーを固定する段階を含む、請求項１８に記載の方法。
【請求項２０】
さらに、前記キャップが前記第二容器に配置された後で、前記管カバーを前記キャップから解除する段階を含む、請求項１９に記載の方法。
【請求項２１】
前記管カバーが前記キャップに挿入される時に、前記管カバーは、折り畳まれる位置に移動する、請求項１８に記載の方法。
【請求項２２】
頭部が前記管の端部に配置され、前記管カバーが前記頭部と前記キャップとの間に配置される、請求項１８に記載の方法。
【発明の詳細な説明】
【技術分野】
【０００１】
本発明は、容器から液体を吸引する分野に関する。詳細には、本発明は、所謂「収集管」の分野に関していて、それは、液体で満たされた容器の内容物を容器の頂部を介して吸引するために、真空源又はポンプと協同するようになっている。
【背景技術】
【０００２】
多数の技術的な専門分野において、容器の開口部を介して容器から液体を吸引することが望まれ、それは通常、容器の頂部に又は近傍に位置する。図７に示すように、この課題を遂行するための装置は、一般的に収集管アセンブリＴを包含し、容器Ｃに取外し可能に接続され、真空源Ｖに連結される。収集管アセンブリは通常、（図解のためにほぼ拡大された）細長い管１０と容器の開口部Ａに管を連結するためのあるネジ式の機構１１とを包含する。管の長さはしばしば固定され、容器の開口部とその底部Ｂとの間の垂直距離Ｄに近づけるように選択される。管の上端部１０Ａの部分は、収集管アセンブリの一部分を形成し、容器開口部に収集管を適切に配置するのに役立つ円盤１４を通過して延伸する。盤１４は、容器開口部の直径より僅かに大きな直径を有し、それ故に、盤は開口部の縁部１６にもたれても、縁部１６によって支持されてもよい。盤１４は通常、ネジ付きのキャップ１８によって開口部の頂上で所定の位置に締付けられ、キャップは、開口部を囲んでいる短い管状部分の外側に形成されるネジ山と係合する。管の上端部１０Ａは、可撓性の導管と係合するようになっていて、それを介して容器内の液体は真空源又はポンプによって吸引することが出来る。理想的には、容器内部の管の長さは、盤１４がキャップ１８によって容器の頂上で所定の位置に締付けられる時に、管の下端部１０Ｂが容器の底部にもたれるように選択される。図７に示すように小さなノッチ２２が、容器の底部で液体を管に入れることが出来るように、収集管の底部にしばしば形成される。代替として頭部が収集管の底部に配置され、それは収集管に入る液体のための開口部を備える。
【０００３】
図７から、容器内部の収集管の長さは、異なる高さの容器において完全に空にすることを保証するために、変えなければならないことが認識されるだろう。管長が短すぎると、管の下端部は、容器の底部に届かず、容器を空にすることが出来ないし、管が長すぎると、盤１４は、適切に容器の頂部を密閉できず、容器の頂部と結合することが出来ない。この課題の一般的な解決策は、収集管アセンブリを備えることであり、そこで、収集管は、異なる大きさの容器に適合するように長さを変えることが出来る。このようなアセンブリを用いて、同一の収集管アセンブリを比較的容易に、ある容器から別の容器に変更することが出来る。このことは、多くの容器が、標準の大きさの収集管アセンブリを受容するようになっている標準の大きさの開口部を備えて作られるから可能である。長さが変えられる収集管を備える収集管アセンブリの例が、特許文献１に示される。
【０００４】
【特許文献１】米国特許第５７６９２８４号明細書
【発明の開示】
【発明が解決しようとする課題】
【０００５】
液体が消費された後で、又は何か別の理由のために、収集管アセンブリがある容器から別の容器に変更される場合に、アセンブリは容器間を移行する間に、清潔でないかもしれない。ユーザはしばしば、第一容器から収集管アセンブリを取り外す状況において、第二容器に設置する前に収集管アセンブリをある表面に置く。このことは、収集管が置かれた表面からの汚染に収集管を曝す。収集管アセンブリがある表面に置かれないとしても、収集管はある容器から次の容器に移行する場合に少なくとも外気に曝され、これもまた、外気からの汚染に、覆いの無い収集管を曝す。多くの環境、例えば臨床検査室において、収集管アセンブリからの汚染は、導入される過程において悪影響を及ぼし、歪曲された又は誤った試験結果となるかもしれない。従って、収集管アセンブリが容器の間を移行する時に、収集管の汚染を回避出来る収集管アセンブリを提供することが所望されるだろう。
【課題を解決するための手段】
【０００６】
容器から液体を吸引するための吸引装置は、キャップの開口部を通過する吸引管を包含する。吸引管は、細長い管部と端部とを包含する。細長い管部は、管の端部がキャップ内の開口部に対して移動可能であるように、キャップ内の開口部と摺動可能に係合する。管カバーは、キャップ内の開口部と管の端部との間に配置される。管カバーは、吸引管の端部がキャップ内に移動する時に、キャップ内に折り畳まれるようにされている。
【０００７】
吸引装置のキャップは、管の端部がキャップの中へ移動する時に、容器に接続するようになっているネジ付きスカート部分と、管カバーを受容するようになっている囲い部分とを含む。管の端部は、管の中に液体を受容するようになっている頭部を含む。バネは、頭部とキャップとの間に配置される。バネは、管カバーが延伸した位置の方向に付勢されるように、頭部をキャップから離して付勢する。
【０００８】
吸引装置はまた、キャップに配置される固定具を含む。固定具は、係合位置と非係合位置との間を移動することが出来る。係合位置において、頭部をキャップ内に保持することが出来る。非係合位置において、頭部をキャップへ又はキャップから移動することが出来る。固定具は、管の頭部が穴を通過することが出来る大きさに作られた穴を含む摺動可能な固定リングを包含する。固定リングはまた、頭部がキャップ内に保持され、固定具が係合位置にある場合に、管の頭部と接触するようになっている舌部を含む。
【０００９】
固定具はまた、キャップが容器に固定されない場合に、固定具が非係合位置に移動することを防止することが出来る固定ピンを含む。固定ピンは、キャップに装着され、小直径部分と大直径部分とを含む。固定ピンは、固定リングが係合位置と非係合位置との間で摺動可能かどうかを決定するために、固定リングのピン通路と相互作用する。キャップが容器に固定される場合に、固定ピンは、引込んだ位置にあり、固定リングは、係合位置と非係合位置との間で自由に移動する。しかしながら、キャップが容器に固定されない場合に、固定ピンは延伸した位置に在り、固定リングは非係合位置に移動することを防止される。
【発明を実施するための最良の形態】
【００１０】
図１から３を概ね参照して、液体吸引装置が、容器から液体を取除くための吸引装置３０として示される。吸引装置３０は、概ね収集／吸引管３２を包含するアセンブリであり、管はキャップ３８を通過しキャップに対して移動可能である。頭部３６は、管３２の端部に備えられる。折り畳み可能な管カバー３４は、頭部３６とキャップ３８との間で管３２を囲む。図１に示されるように、頭部３６がキャップ３８から取外される、頭部３６が延伸した位置と、図２に示されるように、頭部３６がキャップ３８の中に保持される、引込んだ位置との間で移動が出来るように、管３２はキャップ３８に対して移動可能である。固定機構６０がキャップ３８内に収納され、引込んだ位置にある場合にキャップ３８内に頭部３６を保持することが出来る。
【００１１】
吸引管３２は、管類の堅固な又は可撓性の部分品であってもよい。吸引管３２は端部３５と細長い部分３３とを包含する。細長い部分３３はキャップ３８の開口部５２を通過し、キャップに対し移動可能である。端部３５は容器から液体を吸引する時に吸引管３２を支援するようになっている朝顔状に開いた頭部３６を包含する。頭部３６と反対側にある吸引管３２の端部は、真空配管に接続される。管３２は返し付き（barb）取付部品２６と結合される返し付き取付部品の保持キャップ２８とよって真空配管に固定される。
【００１２】
折り畳み可能な管カバー３４は、可撓性プラスチック又はゴム材料から構成され、カバー３４を折り畳むために共に圧縮される又はカバーを広げるために間隔を空けて動くことが出来る複数のアコーデオンプリーツ３７を包含する。カバー３４は、頭部３６と、キャップ３８に配置される盤５０の形状の管カバーの上部取付具５０との間で吸引管３２を囲む。カバー３４の一端部は頭部３６に固定され、カバーの反対側端部は管カバーの上部取付具５０に固定される。吸引管３２がキャップ３８に対して摺動する場合に、頭部３６と管カバーの上部取付具５０との間の距離が変化し、カバー３４はそれに応じて伸び縮みする。
【００１３】
管カバーの張力バネ５４が、頭部３６と管カバーの上部取付具５０との間にまた配置される。バネ５４は、管３２の周囲で管カバー３４内に配置される。バネ５４は、管カバーの上部取付具５０から離して頭部３６を付勢する。
【００１４】
キャップ３８は、硬質プラスチック材料から概ね構成される。キャップは縁部４３とネジ付きの内径４４とを有するスカート部４２を包含する。ネジ付きの内径４４は、液体容器の口部を取り巻くおネジと係合するようになっている。多数の適用において、容器の口部は寸法が標準であり、キャップ３８はこのような標準の大きさの口部を有する多数の液体容器と螺合することが出来る。シール面４６は、縁部４３と向き合うスカート部分４２の頂部近くでキャップ３８内に備えられる。シール面４６は、キャップ３８が容器に固定される時に、液体容器の口部に隣接する表面を備える。
【００１５】
キャップ３８はさらに、スカート部４２と接続される筐体部４０を包含する。筐体部４０は、キャップ内にチャンバを形成するほぼ円筒形の壁４１によって画定される。円形のチャンバ通路４８は、スカート部４２と筐体部４０との間に備えられる。キャップ３８内の開口部５２は、スカート部４２と向き合う筐体部の端部に備えられる。管カバーの上部取付具５０は、筐体部の端部近傍でキャップの開口部５２に挿入される。管カバーの上部取付具５０は、管カバーの上部取付具を介して通路５１を形成する穴５１を含む。吸引管３２は、通路５１を通過し、通路５１に沿って軸方向に摺動することが出来る。
【００１６】
特に図２を参照して、キャップ３８の筐体部４０は、吸引管が引込んだ位置にある時に、吸引管３２の頭部３６と折り畳み可能な管カバー３４とを受容するような大きさになっている。詳細には、管３２が矢印５８の方向に引かれる時に、吸引管の頭部３６は筐体部４０に向かって移動し、バネ５４と折り畳み可能なカバー３４とは、頭部３６と管カバーの上部取付具５０との間で圧縮される。折り畳み可能なカバー３４が圧縮される時に、カバー３４のプリーツ３７は折り曲げられ、カバー３４は長さを短く折り畳まれる。チャンバ通路４８は、カバー３４と頭部３６とがスカート４２を通過しキャップ３８の筐体部４０に入ることを可能にする。筐体部４０は、頭部３６と折り畳み可能なカバーの全体とが、円筒形の壁４１によって画定される筐体部４０のチャンバの中に納まるような大きさにされる。矢印５８の方向に吸引管を引く力が解放されると、図１に示すように、圧縮されたバネ５４は、元の伸びた位置に戻るように頭部に働く。しかしながら、固定機構６０が、ある状況において、頭部３６が延伸した位置に戻ることを防止するためにキャップ内に配置される。
【００１７】
図４Ａから５Ｄを参照して、固定機構６０は、キャップ３８の円筒壁４１を横切って延伸するスロット５６に摺動可能に配置される固定リング６６を包含する。図５Ａと５Ｂに示すように、固定リング６６は、大きな中央穴８８を含むプレート部８４を包含する。バネ止めアーム８０はプレート部８４の一方の側で垂直に延伸し、短いアーム８２はプレート部８４の反対側で垂直に延伸する。舌部８６は、プレートの短いアーム側で中央穴８８によって画定される。図５Ｂに示すように、穴８８は、吸引管３２の頭部３６が通過するのに十分な大きさの円７８を画定する。円７８の半分は、図５Ｂの穴の右端部によって画定され、円７８のその他の半分は、図５Ｂの点線によって画定される。舌部８６の反対側で、固定リング６６の中央穴８８は、小さな直径のピン通路９２に絡む大きな直径のピン通路９０を画定する。
【００１８】
固定機構はまた、固定ピン６２を包含する。図４Ｂに示されるように、固定ピン６２は大きな直径部分７４に接続する基礎部分７０を包含し、大きな直径部分７４は小さな直径部分７６に接続する。バネ座７２は、基礎部分７０にまた形成される。固定ピン６２の大きな直径部分７４は、固定リング６６の大きな直径のピン通路９０に適合するが、固定リング６６の小さな直径のピン通路９２に適合するには大き過ぎる大きさになる。固定ピン６２の小さな直径部分７６は、固定リング６６の大きな直径のピン通路９０と小さな直径のピン通路９２の両方に適合する大きさにされる。
【００１９】
特にここで図４Ａと５Ｂを参照して、固定リング６６は、キャップ３８のスロット５６に配置され、スロット内で摺動することが出来る。固定リングのバネ６８は、固定リング６６のバネ止めアーム８０をキャップから離して付勢する。これはまた、一般的に固定リング６６が図４Ａの矢印７９と反対方向に付勢され、固定リング６６の舌部８６がキャップのスカート部４２と筐体部４０との間でチャンバ通路４８の通り道の中に付勢されることを意味する。チャンバ通路４８の通り道にある舌部８６によって、吸引管３２の頭部３６はチャンバ通路４８を通過することを妨げられ、これが固定機構の係合位置を画定する。
【００２０】
固定ピン６２は、キャップ３８の筐体部４０のピン溝６３に配置される。固定ピンのバネ６４は、ピン溝６３にまた配置され、固定ピン６２のバネ座７２と接触する。バネ６４は、固定ピン６２をキャップのスカート部４２に向かって付勢する。固定ピンが最も外側の位置／延伸した位置にある場合に、ピン６２の大きな直径部分７４は、固定リング６６の大きな直径のピン通路９０を介して延伸する。ピン６２の基礎部分７０はピン通路９０より大きな直径を有するから、ピン６２は、固定リング６６によって大きな直径部分７４と基礎部分７０との間の段差で、ピン溝６３から移動することが防止される。最も外側の位置／延伸した位置の固定ピン６２によって、固定機構６０が係合され、固定リング６６の固定位置で、ピン６２の大きな直径部分７４が固定リングの小さな直径のピン通路９２に移動することができないから、矢印７９の方向に移動することが防止される。上に説明したように、固定機構が係合位置にある時に、固定リング６６の舌部８６が、キャップ３８のスカート部４２とキャップ３８の筐体部４０との間の通路４８を部分的に遮るから、頭部３６は筐体部４０からの移動を妨げられる。しかしながら、ピン６２がさらに、ピン溝６３に押し込まれると、ピン６２の小さな直径部分７６は、固定リングの大きな直径のピン通路９０を介して延伸する。この位置のピン６２によって、固定リング６６は、固定されず、ピン６２が小さな直径のピン通路９２を介して延伸するまで、矢印７９の方向に自由に摺動することが出来る。この位置において、固定リング６６の舌部８６が脇に移動させられ、キャップ３８のスカート部４２とキャップ３８の筐体部４０との間の通路４８を遮らないから、固定機構６０は非係合である。
【００２１】
操作中に、吸引装置３０は、図２に示されるような引込んだ状態で液体の容器に設置される。それからキャップ３８は容器の開口部でキャップ３８のスカート部４２を捩じ込むことによって容器に固定される。キャップ３８が容器に捩じ込まれる時に、容器の開口部の周囲の縁部は固定ピン６２の端部と接触する。キャップ３８が、容器に連続して捩じ込まれる時に、固定ピン６２は、固定ピン６２の小さな直径部分が、固定リングの大きな直径のピン通路９０に配置されるまで、ピン溝６３の中に、及び凹所位置に向かって徐々に押し込まれる。上述のように、この位置の固定ピン６２によって、固定リング６６は、固定されず、キャップ３８のスロット５６内で自由に摺動することが出来る。固定リング６６がスロット５６内で前後に摺動するから、固定機構は、係合位置と非係合位置との間で移動する。それから、吸引装置３０の頭部３６とカバー３４とは、固定リング６６のバネ止めアーム８０を押すことによって容器内に放出され、固定リングを非係合位置に移動する。
【００２２】
吸引装置３０が容器に配置された後に、容器から液体を吸引することは容易である。液体が容器から吸引され、別の場所、例えば燃焼室に移送される。
【００２３】
バネ５４は、吸引管３２の頭部３６をキャップ３８から離して付勢する。それ故に、キャップ３８と頭部３６との間の間隔が調整でき、バネ５４が自動的に頭部３６を容器の底部に配置するから、吸引装置３０を様々な深さの容器で使用することが出来る。
【００２４】
容器（言い換えれば第一容器）から液体の吸引に続いて、吸引装置３０を第一容器から取外し、第二容器に設置してもよく、一方移行する間、吸引管３２を汚染から保護する。このため、管の頭部３６は最初、キャップ３８の筐体部４０によって形成されるチャンバに入って、一方吸引装置３０は第一カバーに残る。これは、チャンバ通路４８から固定リング６６の舌部８６を取除くために、固定リング６６のバネ止めアーム８０を押し込んで保持することによって、固定機構が非係合位置に移動することで達成される。非係合位置に固定機構を保持するためにバネ止めアーム８０を押し続けながら、キャップ３８と容器から延伸する吸引管３２の端部は、吸引管３２の頭部３６がキャップ３８の筐体部４０に形成されるチャンバ内に移動するまで、さらにキャップ３８から離れて引張られる。頭部３６がキャップの筐体部４０に移動した後で、バネ止めアーム８０は解放され、固定機構が係合位置に戻るから、固定リング６６が戻りチャンバ通路４８を塞ぐことが出来る。それから、吸引管３２の端部が解放される時に、バネ５４は、固定リング６６の舌部８６に吸引管の頭部３６を押付けて、頭部３６が、キャップ３８から抜出ることを防止する。
【００２５】
それから、筐体部４０内に保持された頭部３６と折り畳み可能なカバー３４の両方を備えるキャップ３８は、第一容器から取外される。キャップ３８が容器から取外された時に、容器の口部の周囲の縁部によってピン溝６３の中へ深く、先に押し込まれていた固定ピン６２は、ピンの大きな直径部分が大きな直径のピン通路に配置されるように、ここでバネ６４によって延伸した位置へ溝から戻される。先に論じたように、この位置のピン６２によって、固定リング６６は、スロット５６内で摺動することを妨げられ、固定機構は、吸引装置３０が容器から取外された時に、係合位置で固定される。吸引装置３０の頭部３６と折り畳み可能なカバー３４とは、筐体内に保持され、液体に接触する吸引装置３０の全ての部品は、キャップ３８の筐体部４０内に保持され、これらの構成要素は、容器間で吸引装置が移行する間の汚染から遮蔽される。さらに、固定ピンは、固定機構が係合位置で固定することを可能にし、それ故に、キャップが容器上に無い時に、キャップ３８からの頭部３６と管カバー３４との偶然の放出を防止する。
【００２６】
吸引装置３０が第一容器から取外された後で、第二容器のネジ付き開口部にキャップ３８を捩じ込むことによって第二容器に設置される。キャップ３８が第二容器に捩じ込まれる場合に、容器の口部の周囲の縁部は、固定ピン６２の端部と接触し、固定ピン６２の小さな直径部分が固定リング６６の大きな直径のピン通路９０に配置されるように、固定ピンは、ピン溝６３の中に及び凹所の位置にさらに押し込まれる。これは、非係合位置に固定機構を移動するために、レバーアーム８０を押し込むことで、固定リングを解放する。レバーアーム８０が押し込まれる時に、固定リング６６の舌部８６はチャンバ通路４８から離れて摺動し、管３２の頭部３６は、チャンバ通路４８を通過し、キャップ３８を過ぎて第二容器の中に入ることが出来る。頭部が第二容器内に入る時に、管カバーもまた第二容器に入り容器の液体に接触する。
【００２７】
吸引装置が、ある好適な実施形態として述べられたが、その他の器具や形態が可能であることは、当業者によって認識されるだろう。例えば、キャップ内の管及び管カバーの端部を固定するために、異なる固定機構を使用することが可能である。さらに、上述されたその他の態様を組込むこと無しに得られる、ここに述べられた個別の提案に優位性がある。その結果、添付の請求項の精神と範囲は、ここに包含される好適な実施形態の記述に限定されるべきでない。
【図面の簡単な説明】
【００２８】
【図１】延伸した位置に管とカバーとを備える吸引装置の断面図を示す。
【図２】引込んだ位置に管とカバーとを備える図１の吸引装置の断面図を示す。
【図３】キャップの部分的な切り欠き図を備える図１の吸引装置のキャップの斜視図を示す。
【図４Ａ】図２の吸引装置の固定機構の拡大断面図を示す。
【図４Ｂ】図４Ａの吸引装置の固定ピンの断面図を示す。
【図５Ａ】図１の吸引装置の固定プレートの斜視図を示す。
【図５Ｂ】図５Ａの固定プレートの平面図を示す。
【図５Ｃ】図５Ｂの矢視線Ｃ−Ｃに沿った固定プレートの断面図を示す。
【図５Ｄ】図５Ｂの矢視線Ｄ−Ｄに沿った固定プレートの側面図を示す。
【図６Ａ】図１の吸引装置の管の頭部の底面図を示す。
【図６Ｂ】図６Ａの矢視線Ｂ−Ｂに沿った吸引装置の管の頭部の断面図を示す。
【図７】先行技術の収集管アセンブリの断面図を示す。
【図１】
2008530420.tif 000003
【図２】
2008530420.tif 000004
【図３】
2008530420.tif 000005
【図４Ａ】
2008530420.tif 000006
【図４Ｂ】
2008530420.tif 000007
【図５Ａ】
2008530420.tif 000008
【図５Ｂ】
2008530420.tif 000009
【図５Ｃ】
2008530420.tif 000010
【図５Ｄ】
2008530420.tif 000011
【図６Ａ】
2008530420.tif 000012
【図６Ｂ】
2008530420.tif 000013
【図７】
2008530420.tif 000014
【国際調査報告】
2008530420.tif 000015